(57)【特許請求の範囲】
【請求項１】
開口部を含むネック部と、このネック部に連なる有底筒状の胴部とを有し、把手に形成されたリング部を前記胴部に装着可能にした把手付き容器成形用プリフォームにおいて、
前記胴部のリング部装着部分にリング部内面と係合し、かつ、前記リング部装着部分の周方向にて間隔をおいて形成された複数の係合突起を設け、
前記リング部内面は、前記胴部の前記リング部装着部分にて前記複数の係合突起の突出端位置とのみ接触していることを特徴とする把手付き容器成形用プリフォーム。
【請求項２】
請求項１において、
前記リング部の装着位置決め用のストッパを有し、
前記複数の係合突起の各々は、前記ストッパの胴部底部側に隣接して形成されていることを特徴とする把手付き容器成形用プリフォーム。
【請求項３】
請求項１または２において、
前記複数の係合突起の各々は、前記リング部の幅方向に延びる突条として形成されていることを特徴とする把手付き容器成形用プリフォーム。
【請求項４】
請求項３において、
前記複数の係合突起の各々は、前記胴部の底部側に向けて次第に突起の高さが低くなるように傾斜して形成されていることを特徴とする把手付き容器成形用プリフォーム。
【請求項５】
請求項１〜４のいずれかにおいて、
前記複数の係合突起の各々は、横断面が円弧状とされていることを特徴とする把手付き容器成形用プリフォーム。
【発明の詳細な説明】
【０００１】
【発明の属する技術分野】
本発明は、把手付き容器形成用プリフォームに関し、特に、把手に形成されたリング部を胴部に装着可能にした把手付き容器形成用プリフォームに関する。
【０００２】
【背景技術及び発明が解決しようとする課題】
ガラス瓶に替わって合成樹脂製容器が普及しており、その容量が大きいものには把手が一体形成されている。
【０００３】
この把手を容器本体と一体的にする構造として、特公昭６３−１１２１９号公報に示すようなものが知られている。
【０００４】
同公報に示される技術は、リング部を有する把手をプリフォームの底部側より挿入し、プリフォームのネック部下端に形成されたフランジ部に、リング部の上面を当接させている。
【０００５】
そして、その後のブロー成形工程において、リング部の下面に、ブロー成形された容器の側壁を当接させることで、リング部をウランジ部と側壁との間に挟持させている。
【０００６】
この場合、リング部の内径と、このリング部が取り付けられるプリフォームの胴部の外径とを一致させることで、プリフォームの胴部に把手を保持させるようにする必要がある。
【０００７】
しかし、このようにリング部の内径と、このリング部が取り付けられるプリフォームの胴部の外径とを一致させると、例えば、プリフォームをブロー成形適温に加熱した状態で、リング部をプリフォームの底部側より挿入する際に、リング部がプリフォームの表面に接触して、プリフォームの表面に容器の製品面に残る傷がついてしまい、製品の品質を低下させることとなるという問題がある。
【０００８】
また、リング部の内径が、把手を成形する際の成形条件によって、このリング部が装着されるプリフォームの胴部外径より多少小さくなった場合に、リング部を確実に装着ができなかったり、装着できても装着不良となってしまうという問題がある。
【０００９】
本発明の目的は、把手のリング部をプリフォームに挿入する際に、リング部がプリフォームの表面に接触してプリフォームの表面に傷がつくのを防止し、容器の品質向上を図ることができ、しかも、リング部の内径が把手成形の際の成形条件によってリング部が装着されるプリフォームの胴部の外径より多少小さくても確実に装着することができる把手付き容器成形用プリフォームを提供することにある。
【００１０】
【課題を解決するための手段】
前記目的を達成するため、本発明に係る把手付き容器成形用プリフォームは、
開口部を含むネック部と、このネック部に連なる有底筒状の胴部とを有し、把手に形成されたリング部を前記胴部に装着可能にした把手付き容器成形用プリフォームにおいて、
前記胴部の前記リング部装着部分に前記リング部内面と係合する係合突起を有することを特徴とする。
【００１１】
本発明によれば、プリフォーム胴部のリング部装着部分にリング部内面と係合する係合突起を設けることで、プリフォームの胴部の外径とリング部の内径との間に係合突起の突出量に相当する間隔を設けることができる。
【００１２】
そのため、プリフォームの底部側から把手のリング部を挿入する際に、リング部の内径が十分大きいので、プリフォームの表面に接触してプリフォームの表面に傷が付くのを防止するため、ブロー成形後の容器の製品品質を向上させることができる。
【００１３】
また、把手のリング部の内径が、把手を成形する際の成形条件によって、多少小さくなった場合でも、リング部が係合突起によって変形することで、装着できなかったり、装着不良となるような事態を防止して確実な装着を行なうことができる。
【００１４】
さらに、リング部は係合突起と係合して装着されるため、プリフォームの胴部は、把手の装着と関係がない状態とすることができ、そのため、プリフォームの肉厚を調整したい場合等にも、自由に金型を加工することができる。
【００１５】
さらに、リング部を受け入れる外径を調整したい場合にも、係合突起の突出量を調整すればよいため、プリフォームの肉厚に関係なく、金型を加工することができる。
【００１６】
本発明においては、前記リング部の装着位置決め用のストッパを有し、前記係合突起は、前記ストッパの胴部底部側に隣接して形成されていることが好ましい。
【００１７】
このようにすることで、ストッパによりリング部の装着位置を確実に規定することができる。
【００１８】
また、本発明においては前記係合突起は、前記リング部の幅方向に伸びる突条として形成されていることが好ましい。
【００１９】
このようにすることで、リング部の安定した取り付け状態を維持することが可能となる。
【００２０】
さらに、本発明においては、前記係合突起は、前記胴部の底部側に向けて下降傾斜して形成されていることが好ましい。
【００２１】
このようにすることで、係合突起に対するリング部の装着を容易、かつ、スムーズに行なうことが可能となる。
【００２２】
そしてさらに、本発明においては、前記係合突起は、周方向に複数形成されていることが好ましい。
【００２３】
このようにすることで、リング部の周方向での均一な装着状態を確保することができ、しかも、リング部が、把手を成形する際の成形条件により、多少小さくなった場合でも、複数の係合突起によってリング部が変形することで、確実に装着できなかったり、装着できても装着不良となるような事態を防止して確実な装着を行なうことができる。
【００２４】
また、本発明においては、前記係合突起は、横断面が円弧状とされていることが好ましい。
【００２５】
このようにすることで、係合突起におけるリング部内面に接触する部分が小さく、挿入の際の抵抗を減少させて挿入を容易にすることができる。
【００２６】
【発明の実施の形態】
以下、本発明の実施の形態について図面を参照して詳細に説明する。
【００２７】
図１〜図４は、本発明の一実施の形態に係る把手付き容器成形用プリフォームを示す図である。
【００２８】
図１は、把手を装着したプリフォームとこのプリフォームをブロー成形した容器の一部外形を示す図で、図２はプリフォームに把手を装着する状態を示す図である。
【００２９】
同図に示すように、プリフォーム１０は、ネック部１２と、このネック部１２に連なる胴部１４及び底部２４を有している。
【００３０】
ネック部１２は、キャップを装着する部分で、胴部１４と反対側に開口部１６を有している。
【００３１】
このネック部１２の外周面には、胴部１４との境界部にサポートリング１８が形成され、また、開口部１６側にネジ部２０が形成され、さらに、ネジ部２０とサポートリング１８との中間領域にロッキングリング２２が形成されている。
【００３２】
胴部１４は、底部２４を一体に有する有底筒状のものとされている。
【００３３】
また、この胴部１４には、把手２６が装着されるようになっており、この把手２６を装着する装着部２８には、サポートリング１８側端部に、装着位置決め用のストッパ３０が環状に突出形成されている。
【００３４】
さらに、この装着部２８には、把手２６（具体的には、把手２６の後述するリング部３４の内面）と係合する係合突起３２が設けられている。
【００３５】
この係合突起３２は、ストッパ３０の底部２４側に隣接して形成され、かつ、プリフォーム１０の軸方向（後述するリング部３４の幅Ｗ方向）に延びる突条として形成されている。
【００３６】
また、この係合突起３２は、図４に示すように周方向に複数、例えば８個等間隔で横断面円弧状に形成されるようになっているので、リング部３４の内面と接触する部分が小さくなり、挿入する際の抵抗を減少することができる。
【００３７】
さらに、この係合突起３２は、図３に示すように、胴部１４の底部２４側に向けて所定角度θ分下降傾斜して形成されるようになっている。
【００３８】
また、係合突起３２の底部２４側端部は、所定の丸みを持たせて曲線状に形成され、リング部３４の挿入を容易にしている。
【００３９】
把手２６は、プリフォーム１０の胴部１４の装着部２８に挿通、装着されるリング部３４と、このリング部３４より容器３６の胴部外径に沿って延在する把持部３８と、把持部３８のリング部３４と反対側の端部に形成されてブロー成形時に容器３６と係合される係合部４０とを有している。
【００４０】
リング部３４は、図２に示すように所定の幅Ｗを有し、かつ、プリフォーム１０の胴部１４に挿通可能な内径、ここでは係合突起３２の突出端位置の外径とほぼ同じ内径とされている。
【００４１】
係合部４０は、把持部３８からリング部３４の中心軸に向けて屈曲した形状となっている。
【００４２】
そして、プリフォーム１０に対する把手２６の装着は、次のように行われる。
【００４３】
まず、図２に示すように、例えば、プリフォーム１０が加熱位置で倒立状態でブロー成形適温まで加熱されてた後、把手インサート位置まで搬送され、把手インサート位置で停止される。
【００４４】
把手インサート位置では、把手２６を倒立状態、すなわちリング部３４を下にした状態で保持する昇降手段が搬送位置上方で待機している。
【００４５】
そして、プリフォーム１０が把手インサート位置に停止すると、昇降手段がプリフォーム１０を保持したまま下降を開始する。
【００４６】
これによって、プリフォーム１０の上方から把手２６が下降し、リング部３４がプリフォーム１０の胴部１４を挿入させながら、下降してプリフォーム１０の装着部２８に装着される。
【００４７】
この場合、リング部３４の内径は、係合突起３２の突出端位置の外径とほぼ同じにされているため、胴部１４の表面とは間隔があり、リング部３４の胴部１４への装着時に、リング部３４が胴部１４の表面に接触して傷つけてしまうようなことがなく、良好な装着を行なうことができる。
【００４８】
また、装着部２８に形成された係合突起３２は、胴部１４の底部２４側に向けて下降傾斜しているため、リング部３４の内面は、係合突起３２と徐々に係合してストッパ３０位置に当接した時点で確実な係合が行われることとなる。
【００４９】
さらに、係合突起３２が周方向に複数形成されているため、リング部３４が係合突起３２間で直線状にに変形するため、装着できなかったり、装着不良となるような状態を防止することができる。
【００５０】
そして、把手２６を完全にストッパ３０位置まで差し込んで装着した状態で、図１に示す状態となる。
【００５１】
そして、この状態で、ブロー成形位置まで搬送してブロー成形を行なうことにより、容易に製品面に傷のない品質の良好な容器３６を得ることができる。
【００５２】
本発明は、前記実施の形態に限定されるものではなく、本発明の要旨の範囲内において種々の形態に変形可能である。
【００５３】
例えば、係合突起の形状は、リング部の幅方向に延びる突条とされているが、リング部の幅方向に部分的に複数存在するものであってもよい。
【００５４】
また、係合突起を周方向に複数、例えば８個形成しているが、この個数は、適宜選択可能である。
【００５５】
さらに、係合突起を胴部の底部側に向けて下降傾斜して形成しているが、底部側の端部が曲面状に形成されていれば、傾斜状態に形成しなくてもある程度係合が容易な状態とすることができる。
【００５６】
この係合突起は、傾斜しないものでもよく、傾斜しないものの方がリング部装着後の安定感がある。
【００５７】
また、このような係合突起を設けることで、従来難しかったプリフォームのリング部装着位置の外径よりも胴部外径の方が大きいような肉厚プリフォームの場合でも、胴部外径よりも大きな外径の係合突起が形成されることで成形可能となる。
【００５８】
さらに、リング部の装着をし易くするために、リング部の内側端部を曲面状に仕上げてもよい。
【００５９】
また、サポートリングの他に胴部にリング部の装着位置決め用のストッパを別途形成しているが、サポートリングをストッパ兼用とすることで、別途ストッパを形成することなく、リング部の位置決めを行なうことができる。
【００６０】
このストッパは、環状に限らず、複数の突起としてもよい。
【００６１】
さらに、前記実施の形態では、プリフォームを倒立状態にして把手を上方から装着する場合を説明したが、プリフォームを正立状態にして把手を下方から装着するようにすることもできる。
【図面の簡単な説明】
【図１】把手を装着したプリフォーム及びこのプリフォームをブロー成形して形成された容器の外形を示す断面図である。
【図２】プリフォームに把手を装着する状態を示す断面図である。
【図３】係合突起の状態を示す部分拡大縦断面図である。
【図４】係合突起の周方向の配置状態を示すプリフォームの部分拡大横断面図である。
【符号の説明】
１０  プリフォーム
１２  ネック部
１４  胴部
１６  開口部
２４  底部
２６  把手
２８  装着部
３０  ストッパ
３２  係合突起
３４  リング部
３６  容器
【図１】
0004266433.tif 000002
【図２】
0004266433.tif 000003
【図３】
0004266433.tif 000004
【図４】
0004266433.tif 000005